(57)【特許請求の範囲】
【請求項１】
本体光源装置部と内視鏡部を備え、前記本体光源装置部は本体電源手段と、第１電源手段と、第１コネクタとを有し、前記内視鏡部は内視鏡回路とこの内視鏡回路に接続する第２コネクタを有し、前記本体電源手段は前記本体光源装置部自体に電源を供給するように構成され、前記第１電源手段は前記内視鏡回路に供給する電力を生成するように構成され、前記内視鏡回路は前記第１電源手段から供給される電力によって作動するように構成され、前記第１、第２コネクタは電気的な接続および接続解除が可能となるように構成された内視鏡装置において、
前記本体光源装置部は第１接続検知手段と電源制御手段を有し、
前記第１接続検知手段は前記第１、第２コネクタ間の電気的な接続の有無を検知し、接続の有無に対応する第１接続検知信号を発生するように構成され、
前記電源制御手段は前記第１接続検知信号に基づいて前記本体電源手段による前記本体光源装置部に対する電力の供給と前記第１電源手段による前記内視鏡回路に対する電力の供給を制御するように構成され、
前記第１コネクタは一対の第１検知端子を有し、
前記第２コネクタは該第２コネクタが前記第１コネクタと接続された場合に前記第１検知端子と電気的に接続する一対の第２検知端子を有し、
前記第２検知端子間には電流の導通が可能な導通手段が接続され、
前記第１接続検知手段は前記第１検知端子間に所定電流を与えると共に、前記第１検知端子間に流れる電流の有無を検知するように構成され、
前記第１接続検知手段による前記第１、第２コネクタ間の電気的な接続の有無の検知は、前記第１検知端子間に流れる電流の有無に基づいて行われ、
前記第１接続検知手段は検知回路用電源手段を有し、
前記検知回路用電源手段は前記第１検知端子間に接続された電流源を構成し、
前記第１接続検知手段は接続検知回路を有し、
前記接続検知回路は前記第２検知端子と前記検知回路用電源手段の間に直列的に接続された検流計を有し、前記検流計の動作に基づいて前記第２検知端子間に流れる電流の有無を検知するように構成されている、
ことを特徴とする内視鏡装置。
【請求項２】
本体光源装置部と内視鏡部を備え、前記本体光源装置部は本体電源手段と、第１電源手段と、第１コネクタとを有し、前記内視鏡部は内視鏡回路とこの内視鏡回路に接続する第２コネクタを有し、前記本体電源手段は前記本体光源装置部自体に電源を供給するように構成され、前記第１電源手段は前記内視鏡回路に供給する電力を生成するように構成され、前記内視鏡回路は前記第１電源手段から供給される電力によって作動するように構成され、前記第１、第２コネクタは電気的な接続および接続解除が可能となるように構成された内視鏡装置において、
前記本体光源装置部は第１接続検知手段と電源制御手段を有し、前記第１接続検知手段は前記第１、第２コネクタ間の電気的な接続の有無を検知し、接続の有無に対応する第１接続検知信号を発生するように構成され、前記電源制御手段は前記第１接続検知信号に基づいて前記本体電源手段による前記本体光源装置部に対する電力の供給と前記第１電源手段による前記内視鏡回路に対する電力の供給を制御するように構成され、
周辺装置部を備え、
前記本体光源装置部は、第２電源手段と、第３コネクタと、第２接続検知手段とを有し、
前記周辺装置部は第４コネクタを有し、
前記第２電源手段は前記周辺装置部に供給するための電力を生成するように構成され、
前記周辺装置部は前記第２電源手段から供給される電力によって作動するように構成され、
前記第３、第４コネクタは電気的な接続および接続解除が可能となるように構成され、
前記第２接続検知手段は前記第３、第４コネクタ間の電気的な接続の有無を検知し、接続の有無に対応する第２接続検知信号を発生するように構成され、
前記電源制御手段は前記第２接続検知信号に基づいて前記第２電源手段による前記周辺装置部に対する電力の供給を制御するように構成され、
前記第３コネクタは一対の第３検知端子を有し、
前記第４コネクタは該第４コネクタが前記第３コネクタと接続された場合に前記第３検知端子と電気的に接続する一対の第４検知端子を有し、
前記第４検知端子間には電流の導通が可能な導通手段が接続され、
前記第２接続検知手段は前記第３検知端子間に所定電流を与えると共に、前記第３検知端子間に流れる電流の有無を検知するように構成され、
前記第２接続検知手段による前記第３、第４コネクタ間の電気的な接続の有無の検知は、前記第３検知端子間に流れる電流の有無に基づいて行われ、
前記第２接続検知手段は検知回路用電源手段を有し、
前記検知回路用電源手段は前記第３検知端子間に接続された電流源を構成し、
前記第２接続検知手段は接続検知回路を有し、
前記接続検知回路は前記第２検知端子と前記検知回路用電源手段の間に直列的に接続された検流計を有し、前記検流計の動作に基づいて前記第２検知端子間に流れる電流の有無を検知するように構成されている、
ことを特徴とする内視鏡装置。
【請求項３】
本体光源装置部と内視鏡部を備え、前記本体光源装置部は本体電源手段と、第１電源手段と、第１コネクタとを有し、前記内視鏡部は内視鏡回路とこの内視鏡回路に接続する第２コネクタを有し、前記本体電源手段は前記本体光源装置部自体に電源を供給するように構成され、前記第１電源手段は前記内視鏡回路に供給する電力を生成するように構成され、前記内視鏡回路は前記第１電源手段から供給される電力によって作動するように構成され、前記第１、第２コネクタは電気的な接続および接続解除が可能となるように構成された内視鏡装置において、
前記本体光源装置部は第１接続検知手段と電源制御手段を有し、前記第１接続検知手段は前記第１、第２コネクタ間の電気的な接続の有無を検知し、接続の有無に対応する第１接続検知信号を発生するように構成され、前記電源制御手段は前記第１接続検知信号に基づいて前記本体電源手段による前記本体光源装置部に対する電力の供給と前記第１電源手段による前記内視鏡回路に対する電力の供給を制御するように構成され、
周辺装置部を備え、
前記本体光源装置部は、第２電源手段と、第３コネクタと、第２接続検知手段とを有し、
前記周辺装置部は第４コネクタを有し、
前記第２電源手段は前記周辺装置部に供給するための電力を生成するように構成され、
前記周辺装置部は前記第２電源手段から供給される電力によって作動するように構成され、
前記第３、第４コネクタは電気的な接続および接続解除が可能となるように構成され、
前記第２接続検知手段は前記第３、第４コネクタ間の電気的な接続の有無を検知し、接続の有無に対応する第２接続検知信号を発生するように構成され、
前記電源制御手段は前記第２接続検知信号に基づいて前記第２電源手段による前記周辺装置部に対する電力の供給を制御するように構成され、
前記第３コネクタと電気的な接続および接続解除が可能となるように構成された保護検知アダプターを設け、
前記保護検知アダプターは前記第３コネクタと接続したときに前記第３コネクタの前記第２検知端子間に導通手段が接続されるように構成されている、
ことを特徴とする内視鏡装置。
【請求項４】
前記第１電源手段から前記内視鏡回路への電力の供給および前記本体光源装置部と前記内視鏡回路間における電気信号の授受が前記第１、第２コネクタを介して行うように構成されたことを特徴とする請求項１乃至３に何れか１項記載の内視鏡装置。
【請求項５】
前記第１接続検知手段は接続検知回路を有し、前記接続検知回路は前記第１検知端子と前記検知回路用電源手段の間に直列的に接続されたリレースイッチを有し、前記リレースイッチの開閉信号に基づいて前記第１検知端子間に流れる電流の有無を検知するように構成されていることを特徴とする請求項１記載の内視鏡装置。
【請求項６】
前記本体光源装置部と前記周辺機器間における電気信号の授受が前記第３、第４コネクタを介して行うように構成されたことを特徴とする請求項２または３記載の内視鏡装置。
【請求項７】
前記第２接続検知手段は接続検知回路を有し、前記接続検知回路は前記第３検知端子と前記検知回路用電源手段の間に直列的に接続されたリレースイッチを有し、前記リレースイッチの開閉信号に基づいて前記第３検知端子間に流れる電流の有無を検知するように構成されていることを特徴とする請求項２記載の内視鏡装置。
【請求項８】
前記導通手段は抵抗器であることを特徴とする請求項１乃至３に何れか１項記載の内視鏡装置。
【請求項９】
前記本体光源装置部は前記内視鏡部に光を供給するランプに電力を供給するランプ電源手段を有し、前記ランプ電源手段は前記第１電源手段から電力の供給を受けて動作するように構成されていることを特徴とする請求項１乃至８に何れか１項記載の内視鏡装置。
【発明の詳細な説明】
【０００１】
【発明の属する技術分野】
本発明は内視鏡装置に関する。
【０００２】
【従来の技術】
従来、内視鏡装置は、内視鏡部と、本体光源装置部と、周辺装置部とを備えて構成されている。
内視鏡部は、本体光源装置部から供給される照明光によって体腔内を照明すると共に、ＣＣＤなどの撮像素子によって体腔内を撮影するようになっている。内視鏡部には内視鏡回路が設けられており、内視鏡回路によって撮像素子の信号処理などが行われるようになっている。
本体光源装置部は、内視鏡部に照明光を与えると共に、内視鏡回路に電力を供給するようになっている。
周辺装置部は、例えば内視鏡部によって撮影された画像を表示するためのモニタや上記画像を印刷するプリンタなどから構成されている。
そして、本体光源装置部と内視鏡部はコネクタを介して接続され、映像信号などの電気信号が内視鏡回路から本体光源装置部に与えられると共に、本体光源装置部から内視鏡回路に電力が供給されるようになっている。また、本体光源装置部と周辺装置部はコネクタを介して接続され、本体光源装置部から周辺装置部に映像信号などの電気信号が授受されるようになっている。
【０００３】
【発明が解決しようとする課題】
このように構成された内視鏡装置では、本体光源装置部が作動している状態で、本体光源装置部と内視鏡部をコネクタを介して接続すると、コネクタが接触したことで本体光源装置部から内視鏡部に過渡的な突入電流が流れるおそれがある。
また、本体光源装置部が作動している状態で、本体光源装置部と周辺装置部をコネクタを介して接続すると、上記と同様に、本体光源装置部から周辺装置部に過渡的な突入電流が流れるおそれがある。
また、本体光源装置部と周辺装置部がコネクタを介して接続された状態で、周辺装置部の電源を本体光源装置部の電源よりも先に投入した場合には、周辺装置部から本体光源装置部に対して過渡的な突入電流が流れるおそれがある。
したがって、このような過渡的な突入電流の発生を防止するためは、各部の接続状態と各部の電源投入の順序に配慮しなくてはならず、電源投入操作が煩雑で面倒となる問題があった。特に内視鏡部を交換して本体光源装置部に接続する際には、本体光源装置部の電源をいちいち切断し、電源投入を所定の順序で行わなくてはならず、内視鏡部の交換作業に時間がかかる欠点がある。
このような問題を解決するため、本体光源装置部の電源を投入したままで、内視鏡部と本体光源装置部の接続と接続の解除を行うことができるようにした技術が提案されている。この技術では、内視鏡部と本体光源装置部を接続するコネクタに該コネクタが接続状態となったときに機械的に動作するスイッチを設け、このスイッチの導通状態に基づいて本体光源装置部から内視鏡部に対する電力供給の有無を制御するようになっている。
しかしながら、上記技術では、内視鏡部が本体光源装置部に接続されていない状態においても本体光源装置部の電源が投入されているため、電力消費の面から好ましいものではなかった。
本発明は前記事情に鑑み案出されたものであって、本発明の目的は、本体電源装置部と内視鏡部の接続時に煩雑な作業を行うことなく突入電流の発生を抑制すると共に、本体電源装置部の消費電力を削減することができる内視鏡装置を提供することにある。
【０００４】
【課題を解決するための手段】
前記目標を達成するため、本発明は、本体光源装置部と内視鏡部を備え、前記本体光源装置部は本体電源手段と、第１電源手段と、第１コネクタとを有し、前記内視鏡部は内視鏡回路とこの内視鏡回路に接続する第２コネクタを有し、前記本体電源手段は前記本体光源装置部自体に電源を供給するように構成され、前記第１電源手段は前記内視鏡回路に供給する電力を生成するように構成され、前記内視鏡回路は前記第１電源手段から供給される電力によって作動するように構成され、前記第１、第２コネクタは電気的な接続および接続解除が可能となるように構成された内視鏡装置において、前記本体光源装置部は第１接続検知手段と電源制御手段を有し、前記第１接続検知手段は前記第１、第２コネクタ間の電気的な接続の有無を検知し、接続の有無に対応する第１接続検知信号を発生するように構成され、前記電源制御手段は前記第１接続検知信号に基づいて前記本体電源手段による前記本体光源装置部に対する電力の供給と前記第１電源手段による前記内視鏡回路に対する電力の供給を制御するように構成され、前記第１コネクタは一対の第１検知端子を有し、前記第２コネクタは該第２コネクタが前記第１コネクタと接続された場合に前記第１検知端子と電気的に接続する一対の第２検知端子を有し、前記第２検知端子間には電流の導通が可能な導通手段が接続され、前記第１接続検知手段は前記第１検知端子間に所定電流を与えると共に、前記第１検知端子間に流れる電流の有無を検知するように構成され、前記第１接続検知手段による前記第１、第２コネクタ間の電気的な接続の有無の検知は、前記第１検知端子間に流れる電流の有無に基づいて行われ、前記第１接続検知手段は検知回路用電源手段を有し、前記検知回路用電源手段は前記第１検知端子間に接続された電流源を構成し、前記第１接続検知手段は接続検知回路を有し、前記接続検知回路は前記第２検知端子と前記検知回路用電源手段の間に直列的に接続された検流計を有し、前記検流計の動作に基づいて前記第２検知端子間に流れる電流の有無を検知するように構成されていることを特徴とする。
また本発明は、本体光源装置部と内視鏡部を備え、前記本体光源装置部は本体電源手段と、第１電源手段と、第１コネクタとを有し、前記内視鏡部は内視鏡回路とこの内視鏡回路に接続する第２コネクタを有し、前記本体電源手段は前記本体光源装置部自体に電源を供給するように構成され、前記第１電源手段は前記内視鏡回路に供給する電力を生成するように構成され、前記内視鏡回路は前記第１電源手段から供給される電力によって作動するように構成され、前記第１、第２コネクタは電気的な接続および接続解除が可能となるように構成された内視鏡装置において、前記本体光源装置部は第１接続検知手段と電源制御手段を有し、前記第１接続検知手段は前記第１、第２コネクタ間の電気的な接続の有無を検知し、接続の有無に対応する第１接続検知信号を発生するように構成され、前記電源制御手段は前記第１接続検知信号に基づいて前記本体電源手段による前記本体光源装置部に対する電力の供給と前記第１電源手段による前記内視鏡回路に対する電力の供給を制御するように構成され、周辺装置部を備え、前記本体光源装置部は、第２電源手段と、第３コネクタと、第２接続検知手段とを有し、前記周辺装置部は第４コネクタを有し、前記第２電源手段は前記周辺装置部に供給するための電力を生成するように構成され、前記周辺装置部は前記第２電源手段から供給される電力によって作動するように構成され、前記第３、第４コネクタは電気的な接続および接続解除が可能となるように構成され、前記第２接続検知手段は前記第３、第４コネクタ間の電気的な接続の有無を検知し、接続の有無に対応する第２接続検知信号を発生するように構成され、前記電源制御手段は前記第２接続検知信号に基づいて前記第２電源手段による前記周辺装置部に対する電力の供給を制御するように構成され、前記第３コネクタは一対の第３検知端子を有し、前記第４コネクタは該第４コネクタが前記第３コネクタと接続された場合に前記第３検知端子と電気的に接続する一対の第４検知端子を有し、前記第４検知端子間には電流の導通が可能な導通手段が接続され、前記第２接続検知手段は前記第３検知端子間に所定電流を与えると共に、前記第３検知端子間に流れる電流の有無を検知するように構成され、前記第２接続検知手段による前記第３、第４コネクタ間の電気的な接続の有無の検知は、前記第３検知端子間に流れる電流の有無に基づいて行われ、前記第２接続検知手段は検知回路用電源手段を有し、前記検知回路用電源手段は前記第３検知端子間に接続された電流源を構成し、前記第２接続検知手段は接続検知回路を有し、前記接続検知回路は前記第２検知端子と前記検知回路用電源手段の間に直列的に接続された検流計を有し、前記検流計の動作に基づいて前記第２検知端子間に流れる電流の有無を検知するように構成されていることを特徴とする。
また本発明は、本体光源装置部と内視鏡部を備え、前記本体光源装置部は本体電源手段と、第１電源手段と、第１コネクタとを有し、前記内視鏡部は内視鏡回路とこの内視鏡回路に接続する第２コネクタを有し、前記本体電源手段は前記本体光源装置部自体に電源を供給するように構成され、前記第１電源手段は前記内視鏡回路に供給する電力を生成するように構成され、前記内視鏡回路は前記第１電源手段から供給される電力によって作動するように構成され、前記第１、第２コネクタは電気的な接続および接続解除が可能となるように構成された内視鏡装置において、前記本体光源装置部は第１接続検知手段と電源制御手段を有し、前記第１接続検知手段は前記第１、第２コネクタ間の電気的な接続の有無を検知し、接続の有無に対応する第１接続検知信号を発生するように構成され、前記電源制御手段は前記第１接続検知信号に基づいて前記本体電源手段による前記本体光源装置部に対する電力の供給と前記第１電源手段による前記内視鏡回路に対する電力の供給を制御するように構成され、周辺装置部を備え、前記本体光源装置部は、第２電源手段と、第３コネクタと、第２接続検知手段とを有し、前記周辺装置部は第４コネクタを有し、前記第２電源手段は前記周辺装置部に供給するための電力を生成するように構成され、前記周辺装置部は前記第２電源手段から供給される電力によって作動するように構成され、前記第３、第４コネクタは電気的な接続および接続解除が可能となるように構成され、前記第２接続検知手段は前記第３、第４コネクタ間の電気的な接続の有無を検知し、接続の有無に対応する第２接続検知信号を発生するように構成され、前記電源制御手段は前記第２接続検知信号に基づいて前記第２電源手段による前記周辺装置部に対する電力の供給を制御するように構成され、前記第３コネクタと電気的な接続および接続解除が可能となるように構成された保護検知アダプターを設け、前記保護検知アダプターは前記第３コネクタと接続したときに前記第３コネクタの前記第２検知端子間に導通手段が接続されるように構成されていることを特徴とする。
【０００５】
【発明の実施の形態】
以下、本発明の内視鏡装置の実施の形態について説明する。
図１は本発明の内視鏡装置の実施の形態の構成を示すブロック図、図２は同実施の形態の全体構成を示す外観図、図３は第１接続検知回路とその周辺の回路図、図４は第２接続検知回路とその周辺の回路図、図５は第１、第２接続検知回路の変形例を示す回路図、図６は電源投入時の制御動作を説明する動作フローチャート、図７は第１接続検知回路に接続された状態を示す保護検知アダプタの回路図である。
【０００６】
まず、図１、図２を参照して内視鏡装置の構成について説明する。
内視鏡装置１０００は、内視鏡部１００、本体光源装置部２００、周辺装置部３００を備えている。
図２に示すように、内視鏡装置１００は、術者が操作する操作部１０２、この操作部１０２の延在方向の一端から突設され患者の体腔内に挿入される可撓管１０４、操作部１０２の延在方向の他端から突設されたライトガイドケーブル１０６、ライトガイドケーブル１０６の端部に設けられ本体光源装置部２００に接続される内視鏡部側コネクタ部１０８（特許請求の範囲の第２コネクタに相当）を有している。
【０００７】
図１に示すように、可撓管１０４の先端部にはＣＣＤ１１０が設けられ、内視鏡部側コネクタ部１０８にはＣＣＤ１１０を駆動しＣＣＤ１１０から出力される映像信号を処理するための内視鏡回路１１２が設けられている。
内視鏡部側コネクタ部１０８は、本体光源装置部２００の前面パネル２０２に設けられている内視鏡部接続用コネクタ部２０４（特許請求の範囲の第１コネクタに相当）に接続された状態で、内視鏡回路１１２から出力される映像信号を本体光源装置部２００に入力すると共に、本体光源装置部２００の２次電源部２１２から供給される電源を内視鏡回路１１２に入力する電気コネクタ部を有している。また、内視鏡部側コネクタ部１０８は、本体光源装置部２００の前面パネル２０２に設けられている内視鏡部接続用コネクタ部２０４に接続された状態で、本体光源装置部２００のライトにより発生される照明光を入力してライトガイドケーブル１０６に導く光コネクタ部を有している。
また、後述する図３に示すように、内視鏡部側コネクタ部１０８の一対の接続端子１０８Ａ、１０８Ｂ（特許請求の範囲の第２検知端子に相当）間には、内視鏡部側コネクタ部１０８の内視鏡部接続用コネクタ部２０４への接続の有無を検知するための導通手段を構成する抵抗器１１４が接続されている。
なお、操作部１０２には、水や空気を可撓管１０４の先端部に導く送水口や吸引口、生検用鉗子を挿入するための鉗子口などが設けられているが、本発明と直接関連しないので詳細な説明は割愛する。
【０００８】
本体光源装置部２００は、画像処理部２０６、電源部トランス２０８、１次電源部２１０（特許請求の範囲の本体電源手段に相当）、２次電源部２１２（特許請求の範囲の第１電源手段に相当）、検知回路用電源部２１４（特許請求の範囲の検知回路用電源手段に相当）、ランプ電源部２１６（特許請求の範囲のランプ電源手段に相当）、第１接続検知回路２１８（特許請求の範囲の第１接続検知手段に相当）、第２接続検知回路２２０（特許請求の範囲の第２接続検知手段に相当）、スイッチ制御手段２２２、第１スイッチ２２４、第２スイッチ２２６、第３スイッチ２２８、周辺装置部接続用コネクタ部２３０（特許請求の範囲の第３コネクタに相当）、電源供給用コンセント２３２、２３４、メインスイッチ２３６、不図示のランプを備えて構成されている。
【０００９】
画像処理部２０６は、内視鏡部１００から内視鏡部側コネクタ部１０８と内視鏡部接続用コネクタ部２０４を介して入力される映像信号をサンプリングするサンプルホールド回路（Ｓ／Ｈ）２０６Ａ、サンプルホールド回路２０６Ａでサンプリングされた映像信号をＲ、Ｇ、Ｂ毎にデジタル信号に変換するアナログ／デジタル変換器（Ａ／Ｄ）２０６Ｂ、デジタル信号に変換されたＲ、Ｇ、Ｂのデジタル信号を一時保管するメモリ２０６Ｃ、２０６Ｄ、２０６Ｅ、各メモリ２０６Ｃ、２０６Ｄ、２０６Ｅから読み出したデジタル信号に基づいてアナログの映像信号に変換するデジタル／アナログ変換器（Ｄ／Ａ）２０６Ｆを備えている。デジタル／アナログ変換器２０６Ｆから出力された映像信号は、接続検知回路２２０、本体光源装置部２００の周辺装置部接続用コネクタ部２３０（特許請求の範囲の第３コネクタに相当）、周辺装置部３００の周辺装置部側コネクタ部３０３（特許請求の範囲の第４コネクタに相当）を介して周辺装置部３００のモニタ３０２、プリンタ３０４に入力されるようになっている。なお、図１では省略されているが、周辺装置部接続用コネクタ部２３０と周辺装置部側コネクタ部３０３は、モニタ３０２とプリンタ３０４のそれぞれに対応して別々に設けられている。
【００１０】
電源部トランス２０８は、その１次側に接続された差込プラグ２３８がＡＣ電源入力コンセント４００に接続され交流商用電源が入力されるように構成されている。
電源部トランス２０８の２次側には、１次電源部２１０、２次電源部２１２、検知回路用電源部２１４、第３スイッチ２２８がそれぞれ接続されている。また、２次電源部２１２は、患者の体腔内に挿入される内視鏡部１００に電力を供給するため、電源部トランス２０８の１次側、１次電源部２１０、検知回路用電源部２１４、第３スイッチ２２８とは電気的に絶縁されるように構成されている。
【００１１】
１次電源部２１０は、画像処理部２０６の各部２０６Ａ乃至２０６Ｆとランプ電源部２１６に、第１スイッチ２２４を介して電力を供給するように構成されている。
２次電源部２１２は、内視鏡部１００に第２スイッチ２２６を介して電力を供給するように構成されている。
検知回路用電源部２１４は、第１接続検知回路２１８、第２接続検知回路２２０、スイッチ制御回路２２２にスイッチを介さずに直接電力を供給するように構成されている。すなわち、検知回路用電源部２１４は、後述するメインスイッチ２３６のオンオフとは無関係に、差込プラグ２３８がＡＣ電源入力コンセント４００に接続されている限り、電力を第１接続検知回路２１８、第２接続検知回路２２０、スイッチ制御回路２２２に供給するように構成されている。
第３スイッチ２２８は、電源部トランス２０８の２次側と、モニタ３０２およびプリンタ３０４に電力をそれぞれ供給する電源供給用コンセント２３２、２３４との間に設けられている。また、電源部トランス２０８によって特許請求の範囲の第２電源が構成されている。
電源供給用コンセント２３２、２３４にはモニタ３０２の差込プラグ３０６とプリンタ３０４の差込プラグ３０８がそれぞれ差し込まれるようになっている。そして、第１スイッチ２２４、第２スイッチ２２６、第３スイッチ２２８は、スイッチ制御回路２２２の制御によってオン・オフ制御されるように構成され、第１スイッチ２２４、第２スイッチ２２６、第３スイッチ２２８、スイッチ制御回路２２２によって特許請求の範囲の電源制御手段が構成されている。
【００１２】
ランプ電源部２１６は不図示のランプを駆動するように構成されており、このランプの照明光が内視鏡部接続用コネクタ部２０４、内視鏡部側コネクタ部１０８を介して内視鏡部１００に供給されるようになっている。
メインスイッチ２３６は、電源部トランス２０８の２次側の電力の１次電源部２１０、２次電源部２１２に対する入力を手動操作によってオン・オフするように設けられている。
【００１３】
第１接続検知回路２１８は、図３に示すように、電流源２１８Ａ、電流源２１８Ａの信号線に直列に接続された検流計２１８Ｂ、電流源２１８Ａの信号線が接続される内視鏡部接続用コネクタ部２０４の一対の接続端子２０４Ａ、２０４Ｂ（特許請求の範囲の第１検知端子に相当）から構成されている。
電流源２１８Ａは、検知回路用電源部２１４から供給される電力によって常時電流を出力するように構成されている。検流計２１８Ｂは信号線に電流が流れたことを検知し、その旨を示す検知信号をスイッチ制御回路２２２に送出するように構成されている。
【００１４】
一方、内視鏡部１００の内視鏡部側コネクタ部１０８には、上記一対の接続端子２０４Ａ、２０４Ｂに接続する一対の接続端子１０８Ａ、１０８Ｂ（特許請求の範囲の第２検知端子に相当）が設けられており、この一対の接続端子１０８Ａ、１０８Ｂ間は内視鏡回路１１２に設けられた抵抗器１１４に接続されている。したがって、内視鏡部接続用コネクタ部２０４に内視鏡部側コネクタ部１０８が接続されると、電流源２１８Ａからの電流が接続端子２０４Ａ、１０８Ａ、抵抗器１１４、接続端子１０８Ｂ、２０４Ｂという閉路を流れ、この電流を検知した検流計２１８Ｂが検知信号をスイッチ制御回路２２２に入力するようになっている。
【００１５】
一方、第２接続検知回路２２０は、図４に示すように、電流源２２０Ａ、電流源２２０Ａの信号線に直列に接続された検流計２２０Ｂ、電流源２２０Ａの信号線が接続される周辺装置部接続用コネクタ部２３０の一対の接続端子２３０Ａ、２３０Ｂから構成されている。電流源２２０Ａは、検知回路用電源部２１４から供給される電力によって常時電流を出力するように構成されている。検流計２２０Ｂは信号線に電流が流れたことを検知し、その旨を示す検知信号をスイッチ制御回路２２２に送出するように構成されている。
【００１６】
一方、周辺装置部３００の周辺装置部側コネクタ部３０３には、上記一対の接続端子２３０Ａ、２３０Ｂに接続する一対の接続端子３０３Ａ、３０３Ｂが設けられており、この一対の接続端子３０３Ａ、３０３Ｂ間は負荷３０２Ａに接続されている。
ここで、接続端子２３０Ａ、２３０Ｂと接続端子３０３Ａ、３０３Ｂは映像信号を伝達するためのものであり、負荷３０２Ａは、この映像信号によって動作するモニタ３０２またはプリンタ３０４の回路部分に相当している。
したがって、周辺装置部接続用コネクタ部２３０に周辺装置部側コネクタ部３０３が接続されると、電流源２２０Ａからの電流が接続端子２３０Ａ、３０３Ａ、負荷３０２Ａ、接続端子３０３Ｂ、２３０Ｂという閉路を流れ、この電流を検知した検流計２２０Ｂが検知信号をスイッチ制御回路２２２に入力するようになっている。
【００１７】
なお、第２接続検知回路２２０は、周辺装置部３００のモニタ３０２とプリンタ３０４に対応してそれぞれ設けられており、モニタ３０２と本体光源装置部２００との接続の有無、プリンタ３０４と本体光源装置部２００との接続の有無を別々に検知するようになっているが、説明を簡略化するため以下では一方の第２接続検知回路２２０についてのみ説明する。
また、上述した例では、映像信号が流れる信号線上において周辺装置部３００の負荷３０２Ａに流れる電流の有無を検知するように構成したが、図３と同様に別の信号線を設け、負荷の代わりに抵抗器に流れる電流を検知するように構成してもよいことはいうまでもない。
【００１８】
スイッチ制御回路２２２は、第１、第２接続検知回路２１８、２２０から入力される検知信号に基づいて第１スイッチ２２４、第２スイッチ２２６、第３スイッチ２２８のオン・オフを制御するように構成されている。
【００１９】
図５は、第１接続検知回路２１８の変形例を示す回路図であり、検流計の代わりにリレースイッチ２２１を用いて構成されている。すなわち、リレースイッチ２２１のコイル２２１Ａを電流源２１８Ａの信号線に直列に接続し、このコイル２２１Ａに電流が流れることで接点２２１Ｂがオン・オフするように構成されている。したがって、この接点２２１Ｂに現れる開閉信号を検知信号として用いればよい。なお、第２接続検知回路２２０として図５と同様の回路構成を用いることができることはもちろんである。
【００２０】
次に、図６のフローチャートを参照して電源投入時の動作について説明する。まず、図１において、差込プラグ２３８がＡＣ電源入力コンセント４００に接続され、モニタ３０２の差込プラグ３０６とプリンタ３０４の差込プラグ３０８がそれぞれ電源供給用コンセント２３２、２３４に接続されているものとする。そして、第１スイッチ２２４、第２スイッチ２２６、第３スイッチ２２８は、オフしているものとする。
まず、メインスイッチ２３６をオンする（Ｓ１０）。この状態では、スイッチ制御回路２２２は、第１スイッチ２２４、第２スイッチ２２６、第３スイッチ２２８を全てオフ状態のまま保持している（Ｓ１２）。
【００２１】
次いで、スイッチ制御回路２２２は、第２接続検知回路２２０からの検知信号の入力の有無に基づいて周辺装置部３００の周辺装置部側コネクタ部３０３が本体光源装置部２００の周辺装置部接続用コネクタ２３０に接続されているか否かを判定し、第１接続検知回路２１８からの検知信号の入力の有無に基づいて内視鏡部１００の内視鏡部側コネクタ部１０８が本体光源装置部２００の内視鏡部接続用コネクタ部２０４に接続されているか否かを判定する（Ｓ１４、Ｓ１６）。
【００２２】
ステップＳ１４、Ｓ１６の何れか一方が否定（“Ｎ”）ならば、ステップＳ１２に移行して、第１スイッチ２２４、第２スイッチ２２６、第３スイッチ２２８のオフ状態を維持し、本体光源装置部２００自身、内視鏡部１００、周辺装置部３００に対する電力供給を行わない。
一方、ステップＳ１４、Ｓ１６の双方が肯定（“Ｙ”）ならば、第２スイッチ２２６をオンして２次電源部２１２の電力を内視鏡部１００に供給する（Ｓ１８）。これにより内視鏡回路１１２が作動を開始する。
そして、第１スイッチ２２４をオンして１次電源部２１０の電力を本体光源装置部２００自身とランプ電源部２１６に供給する（Ｓ２０）。これにより、本体光源装置部２００の画像処理部２０６が作動を開始すると共に、ランプ電源部２１６がランプを点灯させ照明光を内視鏡部１００に与える。
【００２３】
次いで、第３スイッチ２２８をオンして電源部トランス２０８の２次側の電圧を電源供給用コンセント２３２、２３４を介してモニタ３０２、プリンタ３０４に供給する（Ｓ２２）。
以上の動作によって内視鏡部１００、光源本体装置部２００自身（ランプ電源部２１６を含む）、周辺装置部３００に対して順次電力が供給される。
したがって、光源本体装置部２００と、内視鏡部１００および周辺装置部３００との接続が確認されてから電力の供給が行われるので、従来と違って、内視鏡部１００、光源本体装置部２００、周辺装置部３００に対する突入電流の流入を確実に防止できる。
また、光源本体装置部２００に対する電力供給が周辺装置部３００に対する電力供給よりも早く行われるので、先に電源が投入された周辺装置部３００から電源が投入されていない状態の光源本体装置部２００に突入電流が流入することがない。
なお、電力供給の順序は、早期に動作を安定させたい内視鏡部１００を最初とし、次いで光源本体装置部２００自身（ランプ電源部２１６を含む）、周辺装置部３００としたが、突入電流の発生が生じない限り、上述の例に限定されるものではない。
【００２４】
また、ステップＳ２２が終了して各部に電力が供給されている場合において、接続検知回路２１８、２２０によって接続解除が検知されたとき、スイッチ制御回路２２２は、第１乃至第３スイッチをオフとし電力の供給を停止するようになっている。
したがって、内視鏡部１００を交換するときには、いったん接続検知回路２１８によって内視鏡部１００の接続が解除された時点で第１乃至第３スイッチをオフとし電力の供給を停止する。そして、接続検知回路２１８によって内視鏡部１００の接続が検知された時点で図６に示したのと同じ順序で電力の供給が行われる。
このため、内視鏡部１００を交換する際にはいちいち電源の切断投入を操作する必要がない。また、内視鏡部１００が非接続の間はランプ電源部２１６に電力が供給されないためランプ電源部２１６からのノイズ発生がなく、内視鏡装置１０００の周辺に対して与えるノイズの影響を抑えることができる利点がある。また、ランプ電源部２１６が非作動となるので省電力となる効果もある。
【００２５】
なお、上述の構成では、１つの第３スイッチ２２８によってモニタ３０２とプリンタ３０４に対する電力供給を同時に行っているが、モニタ３０２とプリンタ３０４のそれぞれに対応してスイッチを別々に設けることによって、任意のタイミングで電力供給の制御を行うようにしてもよいことはもちろんであり、例えば、内視鏡部１００と光源本体装置部２００自身（ランプ電源部２１６を含む）に対する電力の供給と前後したタイミングで電力を供給するようにしてもよい。
【００２６】
また、上述の構成では、内視鏡部１００が本体光源装置部２００に接続された状態であっても、モニタ３０２とプリンタ３０４の何れか一方が本体光源装置部２００に接続されていない場合には、内視鏡装置１０００の動作が不能となる。したがって、モニタ３０２またはプリンタ３０４の何れか一方が本体光源装置部２００に接続されていない状態で内視鏡装置１０００を使用したい場合に不便である。
このような問題を解消するためには図７に示すような保護検知アダプタを用いればよい。
すなわち、アダプタ５００は、本体光源装置部２００の周辺装置接続用コネクタ部２３０に接続可能に設けられており、一対の接続端子２３０Ａ、２３０Ｂと接続する一対の接続端子５０２Ａ、５０２Ｂを有し、接続端子５０２Ａ、５０２Ｂ間には抵抗器５０４が接続されている。
このようなアダプタ５００を例えばモニタ３０２またはプリンタ３０４の代わりに本体光源装置部２００の周辺装置接続用コネクタ部２３０に接続しておけば、電流源２２０Ａからの電流が接続端子２３０Ａ、５０２Ａ、抵抗器５０４、接続端子５０２Ｂ、２３０Ｂという閉路を流れ、検知計２２０Ｂが作動して検知信号をスイッチ制御回路２２２へ入力することができる。このため、図６に示した動作が正常に行われ、電力の供給が行われてこの内視鏡装置１０００を使用することが可能となる。
また、このようなアダプタ５００を周辺装置接続用コネクタ部２３０に接続しておけば、周辺装置接続用コネクタ部２３０の接続端子２３０Ａ、２３０Ｂが開放状態とならず、外来ノイズの影響から本体光源装置部２００の内部回路を保護することができる利点もある。
【００２７】
【発明の効果】
以上の説明で明らかなように本発明によれば、内視鏡部の第２コネクタが本体光源装置部の第１コネクタと電気的に接続された場合にのみ、本体光源装置部自身に対する電力の供給と内視鏡回路に対する電力の供給が行われるので、本体光源装置部から内視鏡回路に対する過渡的な突入電流の発生が確実に防止され、本体電源装置部の消費電力を削減することができる。
【図面の簡単な説明】
【図１】本発明の内視鏡装置の実施の形態の構成を示すブロック図である。
【図２】同実施の形態の全体構成を示す外観図である。
【図３】第１接続検知回路とその周辺の回路図である。
【図４】第２接続検知回路とその周辺の回路図である。
【図５】第１、第２接続検知回路の変形例を示す回路図である。
【図６】電源投入時の制御動作を説明する動作フローチャートである。
【図７】第１接続検知回路に接続された状態を示す保護検知アダプタの回路図である。
【符号の説明】
１００  内視鏡部
１０８  内視鏡部側コネクタ部（第１コネクタ）
２００  本体光源装置部
２０４  内視鏡部接続用コネクタ部（第２コネクタ）
２１０  １次電源部（本体電源手段）
２１２  ２次電源部（第１電源手段）
２１４  検知回路用電源部（検知回路用電源手段）
２１６  ランプ電源部（ランプ電源手段）
２１８  第１接続検知回路（第１接続検知手段）
２２０  第２接続検知回路（第２接続検知手段）
２２２  スイッチ制御回路（スイッチ制御手段）
２２４  第１スイッチ
２２６  第２スイッチ
２２８  第３スイッチ
２３０  周辺装置部接続用コネクタ部（第３コネクタ）
３００  周辺装置部
３０３  周辺装置部側コネクタ部（第４コネクタ）
【図１】
0004201220.tif 000002
【図２】
0004201220.tif 000003
【図３】
0004201220.tif 000004
【図４】
0004201220.tif 000005
【図５】
0004201220.tif 000006
【図６】
0004201220.tif 000007
【図７】
0004201220.tif 000008